(57)【要約】本発明は、ＤＭシステム及びＤＭオブジェクト管理方法に関する。前記ＤＭシステムは、端末内のＤＭオブジェクトを外部記憶装置にコピーするか否かを決定し、前記決定の結果によって前記ＤＭオブジェクトのコピーコマンドを伝送するサーバと、前記サーバからＤＭオブジェクトのコピーコマンドを受信する第１モジュール及び前記受信されたコマンドに応答して前記ＤＭオブジェクトを端末内の外部記憶装置にコピーする第２モジュールを備える端末とを含む。
2009507293.tif 000002
【特許請求の範囲】
【請求項１】
装置管理（ＤＭ）オブジェクトのコピーコマンドをサーバから受信する段階と、
前記受信されたコマンドに応答して、端末の装置管理オブジェクトを外部記憶装置にコピーする段階と
を含むことを特徴とする装置管理オブジェクト管理方法。
【請求項２】
前記コピーを行った後、前記外部記憶装置内の前記装置管理オブジェクトの複製物を確認する段階と、
前記端末内の装置管理オブジェクトと前記外部記憶装置の装置管理オブジェクトを比較する段階とをさらに含むことを特徴とする請求項１に記載の装置管理オブジェクト管理方法。
【請求項３】
前記コピーの後、前記端末内の前記装置管理オブジェクトを維持及び動作する段階をさらに含むことを特徴とする請求項１に記載の装置管理オブジェクト管理方法。
【請求項４】
前記コピーの後、前記端末内の前記装置管理オブジェクトを削除するか否かを決定する段階と、
前記決定によって前記端末の装置管理オブジェクトが削除された場合、前記外部記憶装置内の複製物に基づいて動作する段階とをさらに含むことを特徴とする請求項１に記載の装置管理オブジェクト管理方法。
【請求項５】
前記端末内の装置管理オブジェクト及び前記複製物の一方が変更されたと確認された場合、前記変更されたものに基づいて他方を更新する段階をさらに含むことを特徴とする請求項２に記載の装置管理オブジェクト管理方法。
【請求項６】
前記端末内の前記装置管理オブジェクトにコピーに関する情報を保存する段階をさらに含むことを特徴とする請求項１に記載の装置管理オブジェクト管理方法。
【請求項７】
端末に外部記憶装置が装着された場合、前記外部記憶装置内の装置管理オブジェクトを分析する段階と、
前記端末に装置管理オブジェクトが存在するか否かを確認する段階と、
前記端末に装置管理オブジェクトが保存されていない場合、ユーザ確認を選択的に行う段階と、
前記ユーザ確認に応じて、前記外部記憶装置内の装置管理オブジェクトを前記端末にコピーする段階と
を含むことを特徴とする装置管理オブジェクト管理方法。
【請求項８】
前記端末内に前記装置管理オブジェクトが保存されていると確認された場合、
前記外部記憶装置内の前記装置管理オブジェクトと前記端末内の装置管理オブジェクトを比較する段階と、
前記外部記憶装置内の装置管理オブジェクト及び前記端末内の装置管理オブジェクトの一方を更新する段階とをさらに含むことを特徴とする請求項７に記載の装置管理オブジェクト管理方法。
【請求項９】
端末内の装置管理オブジェクトを外部記憶装置にコピーするか否かをサーバが決定する段階と、
前記決定によって前記装置管理オブジェクトのコピーコマンドを前記サーバが伝送する段階と、
前記受信されたコマンドに応答して、前記端末が前記装置管理オブジェクトを前記外部記憶装置にコピーする段階と
を含むことを特徴とする装置管理オブジェクト管理方法。
【請求項１０】
前記外部記憶装置内の前記装置管理オブジェクトの複製物を前記端末が確認する段階と、
前記装置管理オブジェクトの複製物と前記端末内の装置管理オブジェクトを前記端末が比較する段階とをさらに含むことを特徴とする請求項９に記載の装置管理オブジェクト管理方法。
【請求項１１】
前記コピーの後、前記端末内の前記装置管理オブジェクトを維持することにより前記端末が動作する段階をさらに含むことを特徴とする請求項９に記載の装置管理オブジェクト管理方法。
【請求項１２】
前記コピーの後、前記端末内の前記装置管理オブジェクトを削除するか否かを前記端末が決定する段階と、
前記決定によって前記装置管理オブジェクトが削除された場合、前記外部記憶装置内の複製物を利用することにより動作する段階とをさらに含むことを特徴とする請求項９に記載の装置管理オブジェクト管理方法。
【請求項１３】
前記受信段階において、前記サーバから前記装置管理オブジェクトも受信でき、
前記コピー段階は、
前記受信された装置管理オブジェクトを前記端末の内部に保存する過程と、前記保存された装置管理オブジェクトを前記外部記憶装置にコピーする過程とを含むことを特徴とする請求項９に記載の装置管理オブジェクト管理方法。
【請求項１４】
装置管理オブジェクトのコピーコマンドをサーバから受信する第１モジュールと、
前記端末内の装置管理オブジェクトを外部記憶装置にコピーする第２モジュールと
を含むことを特徴とする端末。
【請求項１５】
前記第２モジュールは、
前記コピーの後、前記外部記憶装置内の前記装置管理オブジェクトの複製物を確認し、前記端末内の前記装置管理オブジェクトと比較することを特徴とする請求項１４に記載の端末。
【請求項１６】
前記コピーにより生成された複製物の存在とは関係なく、前記端末内の前記装置管理オブジェクトを維持することを特徴とする請求項１４に記載の端末。
【請求項１７】
前記コピーの後、前記端末内の前記装置管理オブジェクトが削除された場合、前記端末は、前記外部記憶装置内の複製物に基づいて動作することを特徴とする請求項１４に記載の端末。
【請求項１８】
前記第２モジュールは、前記端末内の前記装置管理オブジェクトに前記コピーに関する情報を保存することを特徴とする請求項１４に記載の端末。
【請求項１９】
端末内の装置管理オブジェクトを外部記憶装置にコピーするか否かを決定し、前記決定によって前記装置管理オブジェクトのコピーのコマンドを伝送するサーバと、
前記サーバから装置管理オブジェクトのコピーのコマンドを受信し、前記受信されたコマンドに応答して、前記端末内の装置管理オブジェクトを前記外部記憶装置にコピーする端末と
を含むことを特徴とするシステム。
【請求項２０】
前記端末は、
前記コピーの後、前記外部記憶装置内の前記装置管理オブジェクトの複製物を確認し、前記端末内の前記装置管理オブジェクトと比較することを特徴とする請求項１９に記載のシステム。
【請求項２１】
前記端末は、
前記端末内の前記装置管理オブジェクトを維持し、前記コピーにより生成された複製物の存在とは関係なく動作することを特徴とする請求項１９に記載のシステム。
【請求項２２】
前記コピーの後、前記端末内の前記装置管理オブジェクトが削除された場合、前記端末は、前記外部記憶装置内の複製物に基づいて動作することを特徴とする請求項１９に記載のシステム。
【請求項２３】
前記端末内の前記装置管理オブジェクト及び前記複製物の一方が変更されたと確認された場合、前記端末の前記第２モジュールは、最近変更されたものに基づいて他のものを更新することを特徴とする請求項２０に記載のシステム。
【請求項２４】
前記サーバは、前記装置管理オブジェクトを共に伝送でき、前記端末は、前記受信された装置管理オブジェクトを内部に保存し、前記コピーを行うことを特徴とする請求項１９に記載のシステム。
【請求項２５】
前記端末の前記第２モジュールは、
前記端末内の前記装置管理オブジェクトに前記コピーに関する情報を保存することを特徴とする請求項１９に記載のシステム。
【発明の詳細な説明】
【技術分野】
【０００１】
本発明は、装置管理（Device  Management：以下、ＤＭという）システム及びＤＭオブジェクト管理方法に関し、より詳しくは、端末のＤＭオブジェクトを外部記憶装置にコピー（複製）できるＤＭシステム及びＤＭオブジェクト管理方法に関する。
【背景技術】
【０００２】
一般に、ＤＭ技術とは、端末（クライアント）のリソースをＤＭツリー上に存在するＤＭオブジェクトの形態でＤＭサーバに表示し、前記リソースに前記ＤＭサーバがアクセスできるようにすることにより、前記ＤＭサーバが前記端末を容易に管理できるようにする技術である。
【０００３】
このようなＤＭ技術において、前記ＤＭサーバは、前記端末にＤＭコマンドの処理を指示し、前記端末は、該当コマンドを直ちに実行し、その実行結果を報告する。また、前記ＤＭサーバは、前記端末から特定機能の変更／更新／削除を要求できる。
【発明の開示】
【発明が解決しようとする課題】
【０００４】
しかし、このような従来のＤＭ技術において、前記端末内のＤＭオブジェクトが損傷している場合、又は、ユーザが端末を変える場合、前記ユーザは、これまで進めてきたＤＭ動作を同様の方法で再び行わなければならい。さらに、前記ＤＭオブジェクトの損傷により、ユーザに不便を強いる。
【課題を解決するための手段】
【０００５】
本発明の特徴は、端末内のＤＭオブジェクトを外部記憶装置にコピー（複製）できるＤＭシステム及び端末におけるＤＭオブジェクト管理方法を提供することにある。
【０００６】
少なくとも前述した特徴を全体的又は部分的に実現するために、本願発明は、ＤＭオブジェクトのコピーコマンドをサーバから受信する段階と、前記受信されたコマンドに応答して、端末の装置管理オブジェクトを外部記憶装置にコピーする段階とを含む装置管理オブジェクト管理方法を提供する。
【０００７】
さらに、少なくとも前述した特徴を全体的又は部分的に実現するために、本願発明は、端末に外部記憶装置が装着された場合、前記外部記憶装置内の装置管理オブジェクトを分析する段階と、前記端末に装置管理オブジェクトが存在するか否かを確認する段階と、前記端末に装置管理オブジェクトが保存されていない場合、ユーザ確認を選択的に行う段階と、前記ユーザ確認に応じて、前記外部記憶装置内の装置管理オブジェクトを前記端末にコピーする段階とを含む装置管理オブジェクト管理方法を提供する。
【０００８】
さらに、少なくとも前述した特徴を全体的又は部分的に実現するために、本願発明は、端末内の装置管理オブジェクトを外部記憶装置にコピーするか否かをサーバが決定する段階と、前記決定によって前記装置管理オブジェクトのコピーコマンドを前記サーバが伝送する段階と、前記受信されたコマンドに応答して、前記端末が前記装置管理オブジェクトを前記外部記憶装置にコピーする段階とを含む装置管理オブジェクト管理方法を提供する。
【０００９】
さらに、少なくとも前述した特徴を全体的又は部分的に実現するために、本願発明は、装置管理オブジェクトのコピーコマンドをサーバから受信する第１モジュールと、前記端末内の装置管理オブジェクトを外部記憶装置にコピーする第２モジュールとを含む端末を提供する。
【００１０】
さらに、少なくとも前述した特徴を全体的又は部分的に実現するために、本願発明は、端末内の装置管理オブジェクトを外部記憶装置にコピーするか否かを決定し、前記決定によって前記装置管理オブジェクトのコピーのコマンドを伝送するサーバと、前記サーバから装置管理オブジェクトのコピーのコマンドを受信する第１モジュールと、前記受信されたコマンドに応答して、前記端末内の装置管理オブジェクトを前記外部記憶装置にコピーする第２モジュールとを含むシステムを提供する。
【００１１】
本発明のさらなる長所及び利点は後述する発明の詳細な説明に記述されるが、一部はその記述内容から明確になるか、又は、本発明を実施することにより理解されるであろう。本発明の目的と長所は、特に、添付の請求項に開示されているように実現及び達成される。
【発明を実施するための最良の形態】
【００１２】
以下、本発明の実施形態を詳細に説明する。本発明の説明において、公知の機能又は構成に関する具体的な説明が本発明の要旨を不明瞭にする場合はその説明が省略されるが、その説明は当業者に理解されるであろう。さらに、同一の機能を行う構成要素には同一の符号を付す。
【００１３】
図１は、本発明によるＤＭ端末及びサーバの構成を示すブロック図であり、図２は、図１に示すＤＭ端末のＤＭオブジェクトの例をツリー構造で示す図であり、図３は、図１に示す外部記憶装置の例をツリー構造で示す図である。
【００１４】
図１を参照すれば、本発明によるＤＭシステムは、ＤＭ端末１００とＤＭサーバ２００とを含む。
【００１５】
また、前記ＤＭ端末１００は、ＤＭイネーブリングモジュール１１０と、ＤＭオブジェクト１２０と、外部記憶装置イネーブリングモジュール１３０と、外部記憶装置１４０とから構成される。
【００１６】
前記ＤＭイネーブリングモジュール（又は、第１モジュール）１１０は、前記サーバ２００及びユーザによる前記端末１００の設定、並びに前記ＤＭオブジェクト１２０の管理を担当する。
【００１７】
前記ＤＭイネーブリングモジュール１１０は、ＤＭサーバ−クライアントインタフェースを介して前記サーバ２００に接続されるので、前記サーバ２００は、前記ＤＭイネーブリングモジュール１１０を介して前記ＤＭオブジェクト１２０にアクセスでき、前記ＤＭイネーブリングモジュール１１０は、前記サーバ２００から前記ＤＭオブジェクト１２０を管理するためのコマンド、例えば生成、修正、又は削除に関するコマンドを受信して実行できる。
【００１８】
前記ＤＭイネーブリングモジュール１１０の動作は、前記サーバ２００によりスケジューリングできる。このために、前記サーバ２００は、ＤＭコマンドと前記ＤＭコマンドの実行スケジュールを前記端末１００に伝送できる。この場合、前記ＤＭイネーブリングモジュール１１０は、前記実行スケジュールがマッチするか否かを周期的に確認し、前記実行スケジュールがマッチする場合、前記ＤＭコマンドを実行して前記ＤＭオブジェクトを管理する。
【００１９】
一方、前記ＤＭイネーブリングモジュール１１０は、前記サーバ２００による前記端末１００内の初期設定情報の設定、前記サーバ２００による持続情報（persistent  information）の更新、管理情報の検索、並びに前記端末１００から発生するイベント及びアラームの処理も担当する。
【００２０】
前記ＤＭオブジェクト１２０は、前記端末１００内のリソースに関連し、ハードウェア、前記ハードウェアのイネーブリングのためのドライバ、及びソフトウェアを含む。また、前記ＤＭオブジェクト１２０は、所定条件によってＤＭコマンドを行って特定ＤＭオブジェクトを管理するためのスケジュールを含む。
【００２１】
図２（ａ）及び図２（ｂ）に示すように、前記ＤＭオブジェクト１２０は、ツリー形式で前記サーバ２００に提供される。まず、図２（ａ）に示すような前記ＤＭオブジェクトのツリーの例は、前記端末１００内の特定のリソースに関連したノード、すなわち、Ｎｏｄｅ１、Ｎｏｄｅ２、Ｎｏｄｅ３、及びＳＣ（Smart  Card）ノードを含む。この場合、前記ＳＣノードは、前記ＤＭオブジェクトが前記外部記憶装置１４０内にコピーされるか否かを示す。ここで、前記ＤＭオブジェクトをコピーするように前記ＳＣノードに指示されている場合、前記外部記憶装置イネーブリングモジュール１３０は、後述するように、前記ＤＭオブジェクト１２０を前記外部記憶装置１４０にコピーする。
【００２２】
前記ＤＭオブジェクト１２０が後で何らかの理由により更新される場合、前記ＤＭオブジェクトをコピーするように前記ＳＣノードに指示されていると、前記外部記憶装置イネーブリングモジュール１３０は、前記外部記憶装置１４０内にコピーされた前記ＤＭオブジェクトの複製物を更新する。
【００２３】
図２（ｂ）を参照すれば、前記ＤＭスケジュールのツリーの例は、スケジュールのＩＤを示すＳｃｈｅｄＩＤノードと、ＤＭコマンドの実行条件を示すＣｏｎｄｉｔｉｏｎノードと、ユーザ確認を示すＵｓｅｒＩｎｔｅｒノードと、ＤＭコマンドを示すＣｏｍｍａｎｄｓノードと、前記サーバ２００への報告を示すＧａｔａｉｎｇノードと、ＳＣノードとを含む。ここで、前記ＳＣノードは、前記ＤＭスケジュールを前記外部記憶装置１４０内にコピーするか否かを示す。
【００２４】
前記外部記憶装置イネーブリングモジュール（又は、第２モジュール）１３０は、前記外部記憶装置１４０を管理し、前記端末１００内のＤＭオブジェクト１２０のコピーを担当する。
【００２５】
前記外部記憶装置イネーブリングモジュール１３０は、前記サーバ２００からのコマンド又はユーザからのコマンドによって前記ＤＭオブジェクト１２０を前記外部記憶装置１４０にコピーするか、前記外部記憶装置１４０内のＤＭオブジェクトの複製物を管理することができる。さらに、前記外部記憶装置イネーブリングモジュール１３０は、前記外部記憶装置１４０内の前記ＤＭオブジェクトの複製物を確認して前記ＤＭオブジェクト１２０と比較した後、最近変更されたものに基づいて他のものを更新する。
【００２６】
この場合、前記サーバ２００による前記外部記憶装置イネーブリングモジュール１３０の動作は、前述した方式と類似した方式でスケジューリングできる。例えば、前記外部記憶装置イネーブリングモジュール１３０は、ＤＭコマンドの実行スケジュールがマッチすると、前記ＤＭコマンドを実行して前記ＤＭオブジェクト１２０を前記外部記憶装置１４０にコピーするように前記ＳＣノードに指示されているか否かを確認する。前記ＤＭオブジェクト１２０をコピーするように前記ＳＣノードに指示されている場合、前記外部記憶装置イネーブリングモジュール１３０は、前記ＤＭオブジェクト１２０を前記外部記憶装置１４０にコピーすることができる。
【００２７】
さらに、前記ＤＭオブジェクト１２０が何らかの理由により変更されたと確認された場合、前記外部記憶装置イネーブリングモジュール１３０は、前記ＤＭスケジュールによって前記外部記憶装置１４０内の複製物を更新できる。ここで、前記外部記憶装置１４０内の複製物が変更されている場合、前記外部記憶装置イネーブリングモジュール１３０は、前記端末１００内のＤＭオブジェクト１２０を更新できる。
【００２８】
一方、前記外部記憶装置１４０が他のものに置き換えられる場合、前記外部記憶装置イネーブリングモジュール１３０は、前記置き換えられた外部記憶装置を分析し、前記分析によっていずれか一方のものに基づいて他方のものを更新することができる。
【００２９】
また、前記外部記憶装置イネーブリングモジュール１３０は、前記端末１００内の初期設定情報の設定、持続情報の更新、管理情報の検索、並びに前記端末１００内で発生するイベント及びアラームを処理できる。
【００３０】
前記外部記憶装置１４０は、前記端末１００に着脱可能なメモリ手段、すなわち、スマートカード、ＲＦＩＤ、フラッシュメモリ、ＮＡＮＤフラッシュメモリなどを含む。前記外部記憶装置１４０は、前記サーバ２００又は前記ユーザからのコマンドに応じて前記端末１００内の前記ＤＭオブジェクト１２０をコピーして保存できる。
【００３１】
図３に示すように、前記外部記憶装置１４０は、ツリー構造で表現できる。図３を参照すれば、前記外部記憶装置１４０は、ＳＣ  ＳｙｎｃＭＬ  ＤＭノード、前記外部記憶装置の情報を示すＳＣ  Ｉｎｆｏノード、前記外部記憶装置の詳細情報を示すＳＣ  Ｄｅｔａｉｌノード、ＳＣ  Ｒｅｐｏｒｔｉｎｇノード、ＷＡＰ設定に関するＷＡＰノード、送受信されるＥメールを保存するＥ−ｍａｉｌノード、送受信されるＭＭＳメッセージを保存するＭＭＳノード、及び前記ＤＭオブジェクトの複製物を示すＭＯ  Ｃｏｐｉｅｄノードを含む。
【００３２】
これまでは、本発明によるＤＭシステムの構成について、前記端末１００は、ＤＭイネーブリングモジュール１１０と、ＤＭオブジェクト１２０と、外部記憶装置イネーブリングモジュール１３０と、外部記憶装置１４０とから構成されると説明してきたが、前記端末は、プロセッサ（図示せず）と、ネットワークインタフェース（図示せず）と、記憶装置（図示せず）の組み合わせを含むこともできる。また、前記サーバ２００も同様に構成できる。
【００３３】
図４は、図１に示す端末及びサーバの動作の一例を示す図であり、図５は、図１に示す端末及びサーバの動作の他の例を示す図である。
【００３４】
まず、図４を参照すれば、前記ＤＭサーバ２００が前記端末１００内にＤＭオブジェクトを生成すると、前記ＤＭオブジェクトが前記外部記憶装置にコピーされる動作を示す。以下、詳細な動作について説明する。
【００３５】
１）前記ＤＭサーバ２００は、前記端末１００に適したＤＭオブジェクトを生成し、前記ＤＭオブジェクトをコピーするか否かを決定する。
【００３６】
２）前記外部記憶装置に前記ＤＭオブジェクトをコピーすると決定された場合、前記ＤＭサーバ２００は、前記生成されたＤＭオブジェクト及びコピーコマンドを前記端末１００に伝送する。
【００３７】
３）前記端末１００のＤＭイネーブリングモジュール１１０は、前記サーバ２００から受信された前記ＤＭオブジェクト及び前記コピーコマンドに応答して、前記受信されたＤＭオブジェクトを生成する。
【００３８】
４）その後、前記端末１００のＤＭイネーブリングモジュール１１０は、前記外部記憶装置イネーブリングモジュール１３０にコピーコマンドを伝達する。
【００３９】
５）前記外部記憶装置イネーブリングモジュール１３０は、前記受信されたコマンドに応答して、前記外部記憶装置１４０に前記生成されたＤＭオブジェクトをコピーする。この場合、前記ＤＭオブジェクトがコピーされた後の前記外部記憶装置１４０は、図３に示す通りである。
【００４０】
図５は、前記ＤＭサーバ２００が前記端末１００内に予め保存されたＤＭオブジェクトを前記外部記憶装置１４０にコピーする動作を示す。以下、詳細な動作について説明する。
【００４１】
１）前記ＤＭサーバ２００は、前記端末１００のＤＭオブジェクト１２０を前記外部記憶装置１４０にコピーするか否かを決定する。
【００４２】
２）前記端末１００のＤＭオブジェクト１２０が前記外部記憶装置にコピーされると決定された場合、前記ＤＭサーバ２００は、コピーコマンドを前記端末１００に伝送する。
【００４３】
３）前記端末１００のＤＭイネーブリングモジュール１１０は、前記サーバ２００から受信された前記コピーコマンドに応答して、前記受信されたコピーコマンドを前記外部記憶装置イネーブリングモジュール１３０に伝達する。
【００４４】
４）前記外部記憶装置イネーブリングモジュール１３０は、前記受信されたコマンドに応答して、前記ＤＭオブジェクト１２０を前記外部記憶装置１４０にコピーする。
【００４５】
図６は、本発明によるＤＭオブジェクト管理方法を示すフローチャートである。
【００４６】
詳しくは、図６は、前記端末１００内に前記外部記憶装置１４０が装着された場合、前記端末１００内の前記ＤＭオブジェクト１２０と前記外部記憶装置１４０内の前記ＤＭオブジェクトを比較していずれか一方を更新するＤＭオブジェクト管理方法を示す。
【００４７】
詳しくは、前記外部記憶装置１４０が前記端末１００に装着された場合、前記外部記憶装置１４０が分析される（Ｓ１０１）。
【００４８】
また、前記端末１００内にＤＭオブジェクト１２０が存在するか否かを確認する（Ｓ１０２）。
【００４９】
前記端末１００内にＤＭオブジェクト１２０が存在すると確認された場合、前記端末１００内のＤＭオブジェクト１２０を前記外部記憶装置１４０内のＤＭオブジェクトと比較する（Ｓ１０３）。
【００５０】
その後、前記比較の結果によって、前記外部記憶装置１４０内の前記ＤＭオブジェクト及び前記端末１００内のＤＭオブジェクト１２０のいずれか一方を更新する（Ｓ１０４）。
【００５１】
しかし、前記端末１００内にＤＭオブジェクト１２０が存在しないと確認された場合は、ユーザ確認が選択的に行われる（Ｓ１０５）。
【００５２】
また、前記外部記憶装置１４０内のＤＭオブジェクトが前記端末１００内にコピーされる（Ｓ１０６）。
【００５３】
ここまで説明した本発明による方法は、ソフトウェア、ハードウェア、又はそれらの組み合わせで実現することができる。例えば、本発明による方法は、記憶媒体（例えば、端末機の内部メモリ、フラッシュメモリ、ハードディスクなど）に格納することができ、プロセッサ（例えば、端末機の内部マイクロプロセッサ）により実行することができるソフトウェアプログラム内のコード又はコマンドで実現することもできる。
【００５４】
前述してきたように、本発明によるＤＭシステム及びＤＭオブジェクト管理装置は多くの利点を有する。
【００５５】
すなわち、例えば、端末内のＤＭオブジェクトを外部記憶装置にコピーできるので、前記端末内のＤＭオブジェクトを誤って損傷しても、複製物を利用して復旧することができる。
【００５６】
さらに、ユーザが端末を変えても、前記ユーザは、同一の環境下で前記端末を使用できる。
【００５７】
また、端末内のＤＭオブジェクトと前記外部記憶装置にコピーされた複製物を比較し、最近変更されたものに基づいて古いものを更新するので、常に同一のＤＭオブジェクトを維持できる。
【００５８】
前述した実施形態と長所は単なる例示にすぎず、本発明を制限するものではない。本発明は、他の形態の装置にも容易に適用できる。本発明の詳細な説明は単なる説明の便宜のためのものであり、特許請求の範囲を制限するものではない。当該技術分野における通常の知識を有する者であればこれらの多様な代替、変更、変形が可能であることを理解できるであろう。特許請求の範囲における機能手段(means-plus-function)形式のクレームはその説明された機能を実行する、ここに記載された構成（structure）及び構造的同等物並びに均等な構造をも含む。
【図面の簡単な説明】
【００５９】
本発明は、以下の図面を参照して詳細に説明され、同一の参照番号は、同一の構成要素を示す。
【図１】本発明によるＤＭ端末及びサーバの構成を示すブロック図である。
【図２】図１に示すＤＭ端末のＤＭオブジェクトの例をツリー構造で示す図である。
【図３】図１に示す外部記憶装置の例をツリー構造で示す図である。
【図４】図１に示す端末及びサーバの動作の一例を示す図である。
【図５】図１に示す端末及びサーバの動作の他の例を示す図である。
【図６】本発明によるＤＭオブジェクト管理方法を示すフローチャートである。
【図１】
2009507293.tif 000003
【図２】
2009507293.tif 000004
【図３】
2009507293.tif 000005
【図４】
2009507293.tif 000006
【図５】
2009507293.tif 000007
【図６】
2009507293.tif 000008
【国際調査報告】
2009507293.tif 000009
2009507293.tif 000010